(57)【要約】【課題】金型構造が複雑になるのを回避した上で、回路基板に対する保持力を確保する。【解決手段】ロック部１２は、ハウジング本体１１から突出し、ハウジング本体１１の装着孔１９の貫通方向に突出する弾性ロック片２４と、弾性ロック片２４の突出端部から貫通方向と交差する方向で且つハウジング本体１１の幅方向外側に突出する係止突起２５とを有する。突片１３は、ハウジング本体１１から基板６０の貫通方向に突出し且つ外面に貫通方向と交差する方向に突出する段差を有しない形態とされ、弾性ロック片２４とともに基板６０の固定孔６２に径方向への遊動を規制された状態で差し込まれる突片１３を備えている。【選択図】図２
2016004620.tif 000002
【特許請求の範囲】
【請求項１】
回路基板の表面に設置されるハウジング本体と、そのハウジング本体から突出するロック部とを備え、
前記ハウジング本体には、前記回路基板に電気的に接続可能な端子金具が装着される装着孔が貫通して設けられ、
前記ロック部は、前記装着孔の貫通方向に突出する弾性ロック片と、その弾性ロック片の突出端部から前記貫通方向と交差する方向で且つ前記ハウジング本体の幅方向外側に突出する係止突起とを有し、
前記ハウジング本体が前記回路基板の表面に設置される過程で、前記ロック部が前記回路基板に設けられた固定孔に差し込まれ、前記係止突起が前記固定孔の孔縁を摺動することによって前記弾性ロック片が撓み変形させられ、前記ハウジング本体が前記回路基板の表面に設置されるに伴い、前記弾性ロック片が復帰方向に弾性変位して、前記係止突起が前記回路基板の裏面に係止可能に配置されて、前記ハウジング本体の前記回路基板からの浮き上がりが規制される基板用コネクタであって、
さらに、前記ハウジング本体から前記貫通方向に突出し且つ外面に前記貫通方向と交差する方向に突出する段差を有しない形態とされ、前記弾性ロック片とともに前記固定孔に径方向への遊動を規制された状態で差し込まれる突片を備えていることを特徴とする基板用コネクタ。
【請求項２】
前記突片は、撓み変形させられる前記弾性ロック片と当接してその弾性ロック片の過度撓みを規制可能な位置に配置されていることを特徴とする請求項１記載の基板用コネクタ。
【請求項３】
前記弾性ロック片と前記突片の少なくとも一方には、前記固定孔に差し込まれた状態で前記固定孔の孔面に当接するがた詰めリブが設けられていることを特徴とする請求項１又は２記載の基板用コネクタ。
【請求項４】
前記弾性ロック片は、前記ハウジング本体の側面に対しこの側面に沿う方向に拡張した形態で連結されていることを特徴とする請求項１ないし３のいずれか１項記載の基板用コネクタ。
【発明の詳細な説明】
【技術分野】
【０００１】
本発明は、基板用コネクタに関する。
【背景技術】
【０００２】
特許文献１には、プリント基板（回路基板）に電気コネクタ（基板用コネクタ）を固定するためのボードロック部が開示されている。ボードロック部は、プリント基板の孔に差し込まれる一対の脚部を有している。両脚部は、互いに弾性変形可能とされ、それぞれ突起を有している。ボードロック部の両脚部がプリント基板の孔に差し込まれ、突起がプリント基板の裏面側に係止可能に配置されることにより、電気コネクタのハウジングがプリント基板の表面側に浮き上がりを規制された状態で設置される。
【先行技術文献】
【特許文献】
【０００３】
【特許文献１】特開平１０−４０９７９号公報
【発明の概要】
【発明が解決しようとする課題】
【０００４】
上記ボードロック部は、電気コネクタのハウジングとは別体として構成されている。一方、部品点数を削減するために、ボードロック部に相当するロック部がハウジングと一体に設けられることもある。例えば、ロック部がハウジングの底面から下方へ突出する形態で設けられる。しかし、ロック部の脚部に、上下方向と交差する方向となる幅方向に突出する突起が設けられていると、ハウジングとロック部とを金型で成形する際に型抜き方向が交差することになり、金型構造が複雑になるという問題がある。これに対し、両脚部のうちの一方を省略することにより、ロック部が一本の脚部のみからなる構造として、金型構造が複雑になるのを回避することも可能である。しかし、ロック部が一本の脚部のみからなるとすると、プリント基板の孔内で脚部が遊動する可能性があり、プリント基板に対する保持力を十分に確保し得ないおそれがある。
【０００５】
本発明は上記のような事情に基づいて完成されたものであって、金型構造が複雑になるのを回避した上で、回路基板に対する保持力を確保することを目的とする。
【課題を解決するための手段】
【０００６】
本発明は、回路基板の表面に設置されるハウジング本体と、そのハウジング本体から突出するロック部とを備え、前記ハウジング本体には、前記回路基板に電気的に接続可能な端子金具が装着される装着孔が貫通して設けられ、前記ロック部は、前記装着孔の貫通方向に突出する弾性ロック片と、その弾性ロック片の突出端部から前記貫通方向と交差する方向で且つ前記ハウジング本体の幅方向外側に突出する係止突起とを有し、前記ハウジング本体が前記回路基板の表面に設置される過程で、前記ロック部が前記回路基板に設けられた固定孔に差し込まれ、前記係止突起が前記固定孔の孔縁を摺動することによって前記弾性ロック片が撓み変形させられ、前記ハウジング本体が前記回路基板の表面に設置されるに伴い、前記弾性ロック片が復帰方向に弾性変位して、前記係止突起が前記回路基板の裏面に係止可能に配置されて、前記ハウジング本体の前記回路基板からの浮き上がりが規制される基板用コネクタであって、さらに、前記ハウジング本体から前記貫通方向に突出し且つ外面に前記貫通方向と交差する方向に突出する段差を有しない形態とされ、前記弾性ロック片とともに前記固定孔に径方向への遊動を規制された状態で差し込まれる突片を備えているところに特徴を有する。
【発明の効果】
【０００７】
突片は、外面に装着孔の貫通方向と交差する方向に突出する段差を有していないため、貫通方向に引き抜かれる金型によって装着孔とともに容易に成形される。一方、係止突起は、装着孔の貫通方向と交差する方向に突出するが、ハウジング本体の幅方向外側に位置しているため、成形に際し、金型構造をとくに複雑化させることはない。
【０００８】
ハウジング本体が回路基板の表面に設置されると、突片と弾性ロック片とが回路基板の固定孔に径方向への遊動を規制された状態で差し込まれるため、固定孔内でロック部が位置ずれするのが防止される。その結果、回路基板に対するロック部の保持力を確保することができる。
【図面の簡単な説明】
【０００９】
【図１】本発明の実施例において、基板用コネクタの平面図である。
【図２】基板用コネクタの正面視方向の断面図である。
【図３】基板用コネクタの側面図である。
【図４】ロック部と突片が回路基板の固定孔に差し込まれた状態を示す拡大図である。
【発明を実施するための形態】
【００１０】
本発明の好ましい形態を以下に示す。  
前記突片は、撓み変形させられる前記弾性ロック片と当接してその弾性ロック片の過度撓みを規制可能な位置に配置されている。これによれば、弾性ロック片の過度撓みが規制されるため、弾性ロック片が弾性限度を超えて変形する事態が回避される。また、専用の撓み規制構造を設けなくて済むため、構造の簡素化を図ることができる。
【００１１】
前記弾性ロック片と前記突片の少なくとも一方には、前記固定孔に差し込まれた状態で前記固定孔の孔面に当接するがた詰めリブが設けられている。このがた詰めリブによって固定孔内でロック部が位置ずれするのがいっそう確実に防止される。
【００１２】
前記弾性ロック片は、前記ハウジング本体の側面に対しこの側面に沿う方向に拡張した形態で連結されている。これによれば、弾性ロック片の連結部分の撓み剛性が高められるため、ロック部が外力を受けて不用意に撓み変形させられる事態が回避される。
【００１３】
＜実施例＞
本発明の実施例を図面に基づいて説明する。本実施例の基板用コネクタは、回路基板（以下、単に基板６０という）に取り付けられ、合成樹脂製のハウジング１０と、ハウジング１０に装着される導電金属製の端子金具４０とを備えている。基板用コネクタは、基板６０の板面に対して嵌合面が略垂直な垂直型コネクタとして構成される。ハウジング１０は、ハウジング本体１１と、ハウジング本体１１に一体に突設されたロック部１２及び突片１３とからなる。なお、以下の説明において、前後方向は図中のＸ−Ｘ方向であり、幅方向は図中のＹ−Ｙ方向であり、上下方向は図中のＺ−Ｚ方向である。
【００１４】
図１及び図２に示すように、ハウジング本体１１は、幅方向に細長い角筒状の形態とされている。詳細には、ハウジング本体１１は、底壁部１４と、底壁部１４の外周縁から立ち上がる周壁部１５とからなる。ハウジング本体１１内は、嵌合空間１６として上方に開放されている。ハウジング本体１１の嵌合空間１６には、上方から図示しない相手ハウジングが嵌合される。
【００１５】
周壁部１５の長辺側の一側壁１７（図１の前側の側壁）には、幅方向中央から一方（図１の向かって左側）へ寄った位置に、カムフォロア１８が設けられている。カムフォロア１８は、嵌合空間１６に突出する略円柱状の形態とされている。かかるカムフォロア１８は、相手ハウジングに装着された図示しないレバーとカム係合し、レバーの回動に伴って両ハウジングの嵌合を進める役割をになっている。
【００１６】
図２に示すように、底壁部１４には、複数の装着孔１９が上下方向に貫通して設けられている。各装着孔１９は、幅方向に間隔をあけて多数並列に配置されている。  
端子金具４０は、各装着孔１９に圧入により装着されている。端子金具４０は、上下方向に細長い角ピン状の形態とされている。端子金具４０のうち、装着孔１９に装着される部分よりも上方の部分は、ハウジング本体１１の嵌合空間１６に突出し、両ハウジングの嵌合時、相手ハウジングに装着された図示しない相手端子金具に電気的に接続される。また、端子金具４０のうち、装着孔１９に装着される部分よりも下方の部分は、その下端部が基板６０に貫設された接続孔６１に差し込まれ、基板６０への実装時、基板６０の図示しない導電部と半田付け等により電気的に接続される。
【００１７】
底壁部１４の下面の４角部には、図２及び図３に示すように、板状の脚壁部２１が下方に突出して設けられている。図２に示すように、各脚壁部２１が基板６０の表面に載置されて支持されると、周壁部１５と基板６０との間に、各脚壁部２１の突出量に相当する間隔２２が確保される。この間隔２２には、各端子金具４０の下部が露出して配置される。
【００１８】
図１及び図２に示すように、ロック部１２は、周壁部１５の短辺側の両側壁２３（図２の左右両側の側壁）に対をなして突設されている。詳細には、両ロック部１２は、両側壁２３の下端部外面の前後方向略中央からいったん幅方向外側に小さく突出したあと下方（装着孔１９の貫通方向）に大きく突出する弾性ロック片２４と、弾性ロック片２４の下端部外面から幅方向外側（装着孔１９の貫通方向と交差する方向）に小さく突出する係止突起２５とを有している。両ロック部１２は、全体としてハウジング本体１１の幅方向外側に露出して配置されている。
【００１９】
図３に示すように、弾性ロック片２４は、上端部から下方へ向けて次第に前後幅を小さくする基部２６と、基部２６の下端から下方へ向けて一定の前後幅で構成される中間部２７と、中間部２７の下端から下方へ向けて次第に前後幅を小さくする先端部２８とからなる。基部２６の上端は、側壁２３の下端部外面に他の部分よりも前後方向に拡張された形態で連結されている。一方、先端部２８の下端は、弾性ロック片２４の自由端であって、他の部分よりも前後方向に縮小された形態になっている。また、図４に示すように、先端部２８は、下方へ向けて次第に幅方向の肉厚を減少させる形態になっている。そして、先端部２８の幅方向外側面は、テーパ状の傾斜面２９となっている。
【００２０】
図４に示すように、弾性ロック片２４には、がた詰めリブ３１が突出して設けられている。図３に示すように、がた詰めリブ３１は、基部２６の幅方向外側面の前後方向略中央にて上下方向に延び、且つ中間部２７全体に構成されている。図１に示すように、がた詰めリブ３１の突出端は、平面視で前後方向略中央が外側へ突き出るように湾曲する形態とされている。
【００２１】
図４に示すように、係止突起２５は、先端部２８に突設されている。図３に示すように、係止突起２５は、先端部２８の下端と同じ前後幅をもって上下方向に延びる形態とされている。詳細には、図４に示すように、係止突起２５は、先端部２８に突設されてがた詰めリブ３１の下端に連なる肉盛り部３２と、肉盛り部３２に突設されてがた詰めリブ３１よりも外側に突出する係止本体部３３とからなる。図１に示すように、係止本体部３３の突出端は、平面視で前後方向略中央が外側へ突き出るように湾曲する形態とされている。図４に示すように、係止本体部３３の上端は、前後方向及び幅方向に沿って平坦な係止面３４とされている。また、係止突起２５の幅方向外側面には、下端へ行くに従って次第に幅方向内側へ寄るように傾斜するテーパ状の斜面３５が設けられている。
【００２２】
図２に示すように、突片１３は、底壁部１４の下面の幅方向両端部に対をなして突設されている。突片１３と弾性ロック片２４とは一定の間隔をあけて配置されている。図４に示すように、突片１３の幅方向外側面は、上下方向に沿って弾性ロック片２４の幅方向内側面と平行に配置されている。そして、突片１３の下端部は、下方へ向けて次第に幅方向の肉厚を減少させる形態になっている。突片１３の下端部の幅方向内側面は、テーパ面３６となっている。
【００２３】
突片１３の外面には、上下方向と交差する方向に突出する段差が形成されていない。このため、突片１３は、装着孔１９等とともに、上下方向に引き抜かれる図示しない金型によって成形される。言い換えれば、突片１３を成形するに際し、上下方向と交差する方向（側方又は前方）に引き抜かれるスライド型を必要としない。また、ロック部１２は、全体がハウジング本体１１の幅方向外側に突出する形態になっているため、係止突起２５が上下方向と交差する方向となる幅方向外側に突出するという事情があっても、突片１３と同様、上下方向に引き抜かれる金型によって成形される。
【００２４】
続いて、本実施例の基板用コネクタの作用を説明する。  
基板用コネクタの取り付けに際し、ハウジング１０が上方から基板６０の表面に向けて降下させられる。ハウジング１０の降下過程では、各端子金具４０の下端部が基板６０の接続孔６１に差し込まれるとともに、突片１３及びロック部１２が基板６０に貫設された固定孔６２に差し込まれる。このとき、幅方向両側に位置するそれぞれの突片１３及びロック部１２が対応する固定孔６２にまとめて挿入される（図２を参照）。
【００２５】
ロック部１２が固定孔６２に差し込まれる過程では、係止突起２５の斜面３５が基板６０の固定孔６２の孔縁を摺動し、弾性ロック片２４が基部２６を支点として幅方向内側へ撓み変形させられる。この間、突片１３は、テーパ面３６によって固定孔６２内に誘い込まれ、テーパ面３６を除く幅方向内側面が固定孔６２の孔面（詳細には、孔面のうち、係止突起２５が摺動する側と径方向（幅方向）反対側で対向する部分）に沿って配置される。なお、弾性ロック片２４が幅方向内側へ通常範囲を超えて撓み変形させられると、突片１３の径方向外側面に弾性ロック片２４の下端部が当接し、弾性ロック片２４がそれ以上過度に撓み変形させられるのが阻止される。
【００２６】
その後、各脚壁部２１が基板６０の表面に載置される位置に至ると、図４に示すように、弾性ロック片２４が復帰方向に弾性変位して、係止突起２５の係止面３４が基板６０の裏面に対面し、係止突起２５が基板６０の裏面に係止可能に配置される。これにより、ハウジング１０が基板６０の表面に浮き上がりを規制された状態で設置される。
【００２７】
図４に示すように、ハウジング１０が基板６０の表面に設置された状態では、弾性ロック片２４の中間部２７が固定孔６２内に嵌り込むとともに、がた詰めリブ３１が固定孔６２の孔面に緊密に当接し、且つ、そのがた詰めリブ３１の当接位置とは径方向反対側の位置にて、突片１３が固定孔６２の孔面に当接可能に配置される。したがって、ロック部１２及び突片１３が固定孔６２内で径方向（幅方向）に遊動するのが規制される。その結果、例えば、ハウジング１０が基板６０に対して径方向（幅方向）に位置ずれするような外力を受けても、固定孔６２内でロック部１２が位置ずれするのが防止され、係止突起２５が基板６０の裏面に係止可能な状態を維持することができる。
【００２８】
以上説明したように、本実施例によれば、突片１３がハウジング１０の幅方向内側に位置しているという事情があっても、突片１３の外面に、上下方向（装着孔１９の貫通方向）と交差する方向に突出する段差が形成されていないため、上下方向に引き抜かれる金型を用いて、装着孔１９とともに突片１３を容易に成形することができる。また、ロック部１２は係止突起２５を含む全体がハウジング本体１１の径方向外側に位置しているため、突片１３と同様、上下方向に引き抜かれる金型によってロック部１２を容易に成形することができる。したがって、突片１３及びロック部１２の成形に際し、上下方向と交差する方向に引き抜かれるスライド型が不要となるため、金型構造が複雑になるのが回避される。
【００２９】
また、ロック部１２が固定孔６２内で遊動するのが突片１３によって抑えられるため、ロック部１２が固定孔６２内に位置ずれするのが防止される。その結果、ロック部１２の係止突起２５が基板６０に係止可能な状態が安定に維持され、基板６０に対するロック部１２の保持力を確保することができる。この場合、弾性ロック片２４にがた詰めリブ３１が設けられているため、固定孔６２内でロック部１２が位置ずれするのがいっそう確実に防止される。
【００３０】
また、弾性ロック片２４の過度撓みが突片１３によって抑えられるため、弾性ロック片２４が弾性限度を超えて変形する事態が回避される。しかも、専用の撓み規制構造を設けなくて済むため、構造の簡素化を図ることができる。
【００３１】
さらに、弾性ロック片２４の基部２６がハウジング本体１１の側壁２３の下端部外面に対しこの下端部側面に沿う方向に拡張した形態で連結されているため、基部２６の撓み剛性が高められる。その結果、ロック部１２が外力を受けて不用意に撓み変形させられる事態が回避される。
【００３２】
＜他の実施例＞
以下、他の実施例を簡単に説明する。  
（１）係止突起がハウジング本体の幅方向外側に突出する形態であれば、弾性ロック片はハウジング本体の底壁部の下面から突出する形態になっていてもよい。  
（２）突片にも、固定孔の内面に当接するがた詰めリブが設けられていてもよい。また、ロック部からがた詰めリブを省略し、突片のみにがた詰めリブが設けられるようにしてもよい。
【符号の説明】
【００３３】
１０…ハウジング
１１…ハウジング本体
１２…ロック部
１３…突片
１９…装着孔
２４…弾性ロック片
２５…係止突起
３１…がた詰めリブ
４０…端子金具
６０…基板（回路基板）
６１…接続孔
６２…固定孔
【図１】
2016004620.tif 000003
【図２】
2016004620.tif 000004
【図３】
2016004620.tif 000005
【図４】
2016004620.tif 000006